(57)【要約】  供給者により提供された商品またはサービスに対する支払いを行うための方法は、集中型支払いコントローラ（ＣＰＣ）を提供することと商品またはサービスの供給者とそれらの商品またはサービスの購入者との間で取引を行うことと販売のポイントからＣＰＣに対して取引を示すデータを通信することとを含みＣＰＣは次にＣＰＣに提供されたデータに従って、供給者に対して直接的にまたはＣＰＣを介してのいずれかで、任意の関連した手数料または料金を減算した供給者の請求書に対応した、資金提供エンティティによる資金の提供を手配し合意された期間にわたって直接的にまたは集中型支払いコントローラを介してのいずれかで、購入者が資金提供エンティティに対して１つまたは複数の支払いを行うことを手配し１つまたは複数の支払いは資金提供エンティティまたはＣＰＣに対して支払い可能な任意の関連した手数料または料金を加算した供給者の請求書に対応する。
2013516681.tif 000002
【特許請求の範囲】
【請求項１】
供給者によって提供された商品もしくはサービスに対する支払いを行うための方法であって、当該方法は、
集中型支払いコントローラを提供するステップと、
商品もしくはサービスの供給者とそれらの商品もしくはサービスの購入者との間で取引を行うステップと、
販売のポイントから上記集中型支払いコントローラに対して取引を示すデータを通信するステップとを含み、
上記集中型支払いコントローラは、上記集中型支払いコントローラに提供された上記データに従って次に、商品もしくはサービスの上記供給者に対して、直接的にもしくは上記集中型支払いコントローラを介してのいずれかによって、資金提供エンティティによって資金の提供を手配し、それらの資金は任意の関連した手数料もしくは料金を減算した、上記供給された商品もしくはサービスに対する供給者の請求書に対応し、
上記集中型支払いコントローラは、合意された期間にわたって、直接的にもしくは上記集中型支払いコントローラを介してのいずれかによって、上記購入者が上記資金提供エンティティに対して１つもしくは複数の支払いを行うことを手配し、上記資金提供エンティティもしくは上記集中型支払いコントローラに対する上記１つもしくは複数の支払いは、上記購入者と上記集中型支払いコントローラとの間の取り決めに従って、上記資金提供エンティティもしくは上記集中型支払いコントローラに対して支払い可能な任意の関連した手数料もしくは料金を加算した、上記供給された商品もしくはサービスに対する供給者の請求書に対応することを特徴とする方法。
【請求項２】
債権者に対して債務者によって支払われる義務のある債務に対する支払いを行うための方法であって、当該方法は、
集中型支払いコントローラを提供するステップと、
上記債権者と上記債務者との間の取引を行って、上記債権者に対する上記債務者による支払いに対する義務を結果として生じさせるステップと、
上記取引を集中型支払いコントローラに対して示すデータを通信するステップとを含み、
上記集中型支払いコントローラは、上記集中型支払いコントローラに対して提供されたデータに従って次に、上記債権者に対して、直接的にもしくは上記集中型支払いコントローラを介してのいずれかによって、資金提供エンティティによって資金の提供を手配し、それらの資金は、任意の関連した手数料もしくは料金を減算した、上記取引に対する上記債権者の請求書に対応し、
上記集中型支払いコントローラは、合意された期間にわたって、直接的にもしくは上記集中型支払いコントローラを介してのいずれかによって、上記債権者が上記資金提供エンティティに対して１つもしくは複数の支払いを行うことを手配し、上記資金提供エンティティもしくは上記集中型支払いコントローラに対する上記１つもしくは複数の支払いは、任意の関連した手数料もしくは料金を加算した、関連した取引に対する上記債権者の請求書に対応することを特徴とする方法。
【請求項３】
上記資金は、上記集中型支払いコントローラを介して、上記資金提供エンティティによって、商品もしくはサービスの上記供給者に提供されることを特徴とする請求項１記載の方法。
【請求項４】
上記資金は、上記集中型支払いコントローラを介して、上記資金提供エンティティによって、上記債権者に提供されることを特徴とする請求項２記載の方法。
【請求項５】
上記購入者もしくは上記債務者は、上記集中型支払いコントローラを介して、上記資金提供エンティティに対して複数の支払いを行うことを特徴とする請求項１から４のうちのいずれか１つに記載の方法。
【請求項６】
上記資金は、上記資金提供エンティティによって、直接的に、商品もしくはサービスの上記供給者に対して提供されることを特徴とする請求項１記載の方法。
【請求項７】
上記資金は、上記資金提供エンティティによって、直接的に、上記債権者に対して提供されることを特徴とする請求項２記載の方法。
【請求項８】
上記購入者もしくは上記債務者は、上記資金提供エンティティに対して、直接的に、複数の支払いを行うことを特徴とする請求項１、２、６または７記載の方法。
【請求項９】
上記集中型支払いコントローラはまた、上記資金提供エンティティであることを特徴とする請求項１から８のうちのいずれか１つに記載の方法。
【請求項１０】
供給者によって提供された商品もしくはサービスに対する支払いを行うためのシステムであって、当該システムは、
商品もしくはサービスの供給者とそれらの商品もしくはサービスの購入者との間の複数の取引を管理して処理するための集中型支払いコントローラを備え、
上記購入者は、上記集中型支払いコントローラによって承認されており、
上記集中型支払いコントローラは、販売のポイントから上記集中型支払いコントローラに対して通信された、上記複数の取引を示すデータを受信し、
上記システムは、
上記集中型支払いコントローラの指示のもとでかつ上記集中型支払いコントローラに提供された上記データに従って、上記承認された購入者に対する商品もしくはサービスの上記供給者に対して、直接的にもしくは上記集中型支払いコントローラを介してのいずれかによって、資金を提供する資金提供エンティティを備え、
それらの資金は、任意の関連した手数料もしくは料金を減算した、上記供給された商品もしくはサービスに対する上記供給者の請求書に対応し、
上記購入者は、上記集中型支払いコントローラの指示のもとで、合意された期間にわたって、直接的にもしくは上記集中型支払いコントローラを介してのいずれかによって、上記資金提供エンティティに対して１つもしくは複数の支払いを行って、上記購入者から上記資金提供エンティティもしくは上記集中型支払いコントローラに対する上記１つもしくは複数の支払いは、任意の関連した手数料もしくは料金を加算した、供給された商品もしくはサービスに対する上記供給者の請求書に対応することを特徴とするシステム。
【請求項１１】
債権者に対して債務者によって支払われる義務のある債務に対する支払いを行うためのシステムであって、当該システムは、
上記債権者と上記債務者との間の複数の取引を管理して処理して、上記債権者に対する上記債務者による支払いに対する義務を結果として生じさせる集中型支払いコントローラを備え、
上記債務者は、上記集中型支払いコントローラによって承認されており、
上記集中型支払いコントローラは、上記複数の取引を示すデータを受信し、
当該システムは、
上記集中型支払いコントローラの指示のもとでかつ上記集中型支払いコントローラに提供された上記データに従って、直接的にもしくは上記集中型支払いコントローラを介してのいずれかによって、上記債権者に対して資金を提供する資金提供エンティティを備え、
それらの資金は、任意の関連した手数料もしくは料金を減算した、上記関連した取引に対する上記債権者の請求書に対応し、
上記債務者は、上記集中型支払いコントローラの指示のもとで、合意された期間にわたって、直接的にもしくは上記集中型支払いコントローラを介してのいずれかによって、上記資金提供エンティティに対して１つもしくは複数の支払いを行って、上記１つもしくは複数の支払いは、任意の関連した手数料もしくは料金を加算した、上記関連した取引に対する上記承認された債務者に対する上記債権者の請求書に対応することを特徴とするシステム。
【請求項１２】
上記資金は、上記集中型支払いコントローラを介して、上記資金提供エンティティによって、商品もしくはサービスの上記供給者に提供されることを特徴とする請求項１０記載のシステム。
【請求項１３】
上記資金は、上記集中型支払いコントローラを介して、上記資金提供エンティティによって、上記債権者に提供されることを特徴とする請求項１１記載のシステム。
【請求項１４】
上記購入者もしくは上記債務者は、上記集中型支払いコントローラを介して、上記資金提供エンティティに対して複数の支払いを行うことを特徴とする請求項１０から１３のうちのいずれか１つに記載のシステム。
【請求項１５】
上記資金は、上記資金提供エンティティによって、直接的に、商品もしくはサービスの上記供給者に対して提供されることを特徴とする請求項１０記載のシステム。
【請求項１６】
上記資金は、上記資金提供エンティティによって、直接的に、上記債権者に対して提供されることを特徴とする請求項１１記載のシステム。
【請求項１７】
上記購入者もしくは上記債務者は、直接的に、上記資金提供エンティティに対して複数の支払いを行うことを特徴とする請求項１０、１１、１５または１６記載のシステム。
【請求項１８】
上記集中型支払いコントローラはまた、上記資金提供エンティティであることを特徴とする請求項１０から１７のうちのいずれか１つに記載のシステム。
【請求項１９】
実質的に、本願において及び図１及び図２のいずれかを参照して説明されたことを特徴とする請求項１または２記載の方法。
【請求項２０】
実質的に、本願において及び図１及び図２のいずれかを参照して説明されたことを特徴とする請求項１０から１８のうちのいずれか１つに記載の方法。
【発明の詳細な説明】
【技術分野】
【０００１】
本発明は、例えば複数の会計もしくは複数の請求書の支払い、または複数の購入に対する複数の支払いなどの複数の支払いの処理に関する。これらの支払いは、商品もしくはサービスの供給に対するものであってもよく、または任意の承認された会計、請求書、購入、もしくは承認された買主／債務者によって支払われる義務があって、支払いを必要とする債務に対するものであってもよい。
【背景技術】
【０００２】
それらの商品もしくはサービスの購入者に対する商品もしくはサービスの供給者は、その商品もしくはサービスの購入者が延長された期間にわたってもしくは将来において複数の支払いを行う意図を有するかもしれないが、クレジットの取り決めを介して、即時のもしくは加速された（迅速化された）支払いを受け取ることができる、といことを保証するための複数の支払い処理システム及び複数の方法の多くの例が存在する。例えば、その取り決めは、銀行、金融機関もしくは資金提供組織と購入者との間で直接的であってもよく、上記銀行、金融機関、もしくは資金提供組織を用いてクレジット（資金）を購入者に対して提供する。代わりに、その取り決めは、銀行、金融機関もしくは資金提供組織が商品もしくはサービスの供給者を介して、購入者に対して間接的にクレジットの取り決めを提供することであってもよい。後者の場合は、購入者は、延長された支払い期間に対するアクセスのために、銀行／金融機関／資金提供組織それ自体よりもむしろ、商品もしくはサービスの供給者と契約するであろう。
【先行技術文献】
【特許文献】
【０００３】
【特許文献１】米国特許第６，２６７，２９２号明細書
【発明の概要】
【発明が解決しようとする課題】
【０００４】
例えば、発明の名称が「資金及びクレジットライン転送のための方法及び装置」である特許文献１は、譲渡人のクレジットカードから引き落とし、譲受人のクレジットカードを用いてクレジットする（口座に入金する）ことによって、譲渡人が、譲受人に対するクレジットを転送することもしくは譲渡人に対する支払いを行うことを可能とする金融テンダー転送システムに関する。その金融テンダー転送システムは、転送された金銭に対する即時のアクセスを譲受人に与えて譲渡人のクレジットカードが正当であることを保証する。いずれの当事者も他人に彼らのクレジットカード番号を与える必要がなく、それで安全性が維持される。譲渡人のフルのクレジットラインまでの任意の値の額が譲受人に対して転送される。
【課題を解決するための手段】
【０００５】
本発明は、集中型支払いコントローラ（「加速された請求書支払いコントローラ」もしくは「ＡＢＰ」）が、ＡＢＰによって承認された債務者（「買主」）によって支払われる義務がある債権者（「売主」）に対して、ＡＢＰからの指示のもとで、即時のもしくは早い支払いのために、資金提供エンティティもしくは「外部の資金提供者」による資金の提供を容易化するシステム及び方法に関する。売主と買主との間の取引は、例えば、供給者（「売主」）による商品もしくはサービスの、それらの商品もしくはサービスの承認された購入者（「買主」）に対しての供給に関する。一旦関連した（例えば、ＡＢＰと買主との間の）契約上の合意が確立されると、買主からの指示のもとで、ＡＢＰは、買主に対して売主によって供給された商品もしくはサービスに対して、もしくは売主に対して買主によって支払われる義務がある任意の他の債務に対して、直接的にもしくはＡＢＰを介してのいずれかによって、売主に対する即時のもしくは速い（「加速された」）複数の支払いを行うべき買主に対するサービスを提供する。資金提供エンティティもしくは「外部の資金提供者」は、ＡＢＰそれ自体または例えば銀行もしくは他の金融機関もしくは資金提供組織などの独立した資金提供エンティティのいずれかとすることができる。一旦ＡＢＰもしくは外部の資金提供者は買主に対するサービスを完了し、売主に対する支払いを加速したとすると、その場合は、ＡＢＰと買主との間の合意書の条項に従って、直接的にもしくはＡＢＰを介してのいずれかによって、ＡＢＰもしくは外部の資金提供者に対応する支払いを行う。
【０００６】
例えば、買主とＡＢＰとの間の合意書は、買主とＡＢＰとの間の契約書もしくは合意書においてＡＢＰにより定義された、買主によってＡＢＰもしくは外部の資金提供者に対して支払い可能な手数料もしくは料金に従って、ＡＢＰもしくは外部の資金提供者に対する支払いの延長されたもしくは延期された期間を可能としてもよい。
【０００７】
ＡＢＰは、この支払い処理システム及び方法を、そのＡＢＰによって承認された任意の買主に対して提供してもよい。
【０００８】
本発明の第１の態様において、供給者（売主）によって提供された商品もしくはサービスに対して支払いを行うための方法であって、当該方法は、
集中型支払いコントローラ（「加速された請求書支払いコントローラ」もしくは「ＡＢＰ」）を提供するステップと、
商品もしくはサービスの供給者（「売主」）とそれらの商品もしくはサービスの購入者（「買主」）との間で取引を行うステップと、
販売のポイント（販売場所）から集中型支払いコントローラ（「加速された請求書支払いコントローラ」もしくは「ＡＢＰ」）に対して取引を示すデータを通信するステップとを含み、
上記ＡＢＰは次に、集中型支払いコントローラ（「加速された請求書支払いコントローラ」もしくは「ＡＢＰ」）に提供されたデータに従って、商品もしくはサービスの供給者（「売主」）に対して、直接的にもしくはＡＢＰを介してのいずれかによって、資金提供エンティティ（「外部の資金提供者」）によって資金の提供を手配し、それらの資金は任意の関連した手数料もしくは料金を減算した、供給された商品もしくはサービスに対する売主の請求書（インボイス）に対応し、
上記ＡＢＰは、合意された期間にわたって、直接的にもしくはＡＢＰを介してのいずれかによって、買主が資金提供エンティティ（「外部の資金提供者」）に対して１つもしくは複数の支払いを行うことを手配し、外部の資金提供者もしくはＡＢＰに対する１つもしくは複数の支払いは、買主とＡＢＰとの間の合意書に従って、外部の資金提供者もしくはＡＢＰに対して支払い可能な任意の関連した手数料もしくは料金を加算した、供給された商品もしくはサービスに対する買主に対する売主の請求書（インボイス）のトータルの値に対応する。
【０００９】
本発明の第２の態様において、債権者に対して債務者によって支払われる義務がある債務に対して支払い行うための方法であって、当該方法は、
集中型支払いコントローラ（「加速された請求書支払いコントローラ」もしくは「ＡＢＰ」）を提供するステップと、
債権者と債務者との間の取引を行って、債権者に対する債務者による支払いに対する義務を結果として生じさせるステップと、
取引を示すデータを、集中型支払いコントローラ（「加速された請求書支払いコントローラ」もしくは「ＡＢＰ」）に対して通信するステップと、
上記ＡＢＰは次に、集中型支払いコントローラ（「加速された請求書支払いコントローラ」もしくは「ＡＢＰ」）に対して提供されたデータに従って、債権者に対して、直接的にもしくはＡＢＰを介してのいずれかによって、資金提供エンティティ（「外部の資金提供者」）によって資金の提供を手配し、それらの資金は、任意の関連した手数料もしくは料金を減算した、取引に対する債権者の請求書（インボイス）に対応し、
上記ＡＢＰは、合意された期間にわたって、直接的にもしくはＡＢＰを介してのいずれかによって、債権者が外部の資金提供者に対して１つもしくは複数の支払いを行うことを手配し、外部の資金提供者もしくはＡＢＰに対する１つもしくは複数の支払いは、任意の関連した手数料もしくは料金を加算した、関連した取引に対する債権者の請求書（インボイス）に対応する。
【００１０】
本発明の第３の態様において、供給者（「売主」）によって提供された商品もしくはサービスに対して支払いを行うためのシステムであって、当該システムは、
商品もしくはサービスの供給者（「売主」）とそれらの商品もしくはサービスの購入者（「買主」）との間の複数の取引を管理して処理するための集中型支払いコントローラ（「加速された請求書支払いコントローラ」もしくは「ＡＢＰ」）を備え、
上記売主は、上記ＡＢＰによって承認され、
上記集中型支払いコントローラ（「加速された請求書支払いコントローラ」もしくは「ＡＢＰ」）は、販売のポイントから集中型支払いコントローラ（「加速された請求書支払いコントローラ」もしくは「ＡＢＰ」）に対して通信された、複数の取引を示すデータを受信し、
上記システムは、
上記集中型支払いコントローラ（「加速された請求書支払いコントローラ」もしくは「ＡＢＰ」）の指示のもとで、集中型支払いコントローラ（「加速された請求書支払いコントローラ」もしくは「ＡＢＰ」）に提供されたデータに従って、承認された買主に対する商品もしくはサービスの供給者（「売主」）に対して、直接的にもしくはＡＢＰを介してのいずれかによって、資金を提供する資金提供エンティティを備え、
それらの資金は、任意の関連した手数料もしくは料金を減算した、供給された商品もしくはサービスに対する売主の請求書（インボイス）に対応し、
上記買主は、集中型支払いコントローラ（「加速された請求書支払いコントローラ」もしくは「ＡＢＰ」）の指示のもとで、合意された期間にわたって、直接的にもしくはＡＢＰを介してのいずれかによって、資金提供エンティティに対して１つもしくは複数の支払いを行って、買主から資金提供エンティティもしくはＡＢＰに対する１つもしくは複数の支払いは、任意の関連した手数料もしくは料金を加算した、供給された商品もしくはサービスに対する売主の請求書（インボイス）に対応する。
【００１１】
本発明の第４の態様において、債権者に対して債務者によって支払われる義務がある債務に対する支払いを行うためのシステムであって、当該システムは、
債権者と債務者との間の複数の取引を管理して処理して、集中型支払いコントローラによって承認された債務者による債権者に対する支払いに対する義務を結果として生じさせる集中型支払いコントローラ（「加速された請求書支払いコントローラ」もしくは「ＡＢＰ」）を備え、
集中型支払いコントローラ（「加速された請求書支払いコントローラ」もしくは「ＡＢＰ」）は、複数の取引を示すデータを受信し、
当該システムは、
集中型支払いコントローラ（「加速された請求書支払いコントローラ」もしくは「ＡＢＰ」）の指示のもとで、集中型支払いコントローラ（「加速された請求書支払いコントローラ」もしくは「ＡＢＰ」）に提供されたデータに従って、直接的にもしくはＡＢＰを介してのいずれかによって、債権者に対して資金を提供する資金提供エンティティを備え、
それらの資金は、任意の関連した手数料もしくは料金を減算した、関連した取引に対する債権者の請求書（インボイス）に対応し、
上記債務者は、集中型支払いコントローラ（「加速された請求書支払いコントローラ」もしくは「ＡＢＰ」）の指示のもとで、合意された期間にわたって、直接的にもしくはＡＢＰを介してのいずれかによって、資金提供エンティティに対して１つもしくは複数の支払いを行って、上記１つもしくは複数の支払いは、任意の関連した手数料もしくは料金を加算した、関連した取引に対して承認された債務者に対する債権者の請求書（インボイス）に対応する。
【図面の簡単な説明】
【００１２】
【図１】本発明の支払い処理システム及び方法の第１の実施形態を例示する図である。
【図２】本発明の支払い処理システム及び方法の第２の実施形態を例示する図である。
【発明を実施するための形態】
【００１３】
支払い処理システム及び方法がいま、例示的であるが制限的でない、本発明の好ましい複数の実施形態に関して説明されるであろう。
【００１４】
図１は、本発明の支払い処理システム及び方法の第１の実施形態を例示する図であって、ここで、資金提供が、例えば金融機関もしくは他の資金提供組織（「外部の資金提供者」）などの資金提供エンティティによってＡＢＰに対して提供され、次にＡＢＰは、サービスを買主に対して提供し、ここで、買主は、売主に対する即時のもしくは早い（「加速された」）支払いを容易化するＡＢＰを用いて、売主に対する支払いを加速するためにＡＢＰに指示する。次に、買主は、合意された期間で、ＡＢＰが買主に対して提供したサービスに対してＡＢＰに対して支払いを行う。
【００１５】
第１の実施形態において、図１に例示されたように、集中型支払いコントローラ（「加速された請求書支払いコントローラ」もしくは「ＡＢＰ」）は、特定化された売主に対して、買主からの指示のもとで、複数の支払いを提供するために買主と契約する。ほんの数例だけ列挙するが、例えば複数の資産の購入、財産の購入、複数のスタッフの給料、委託手数料、株主配当金などの支払いは、商品もしくはサービスに対して、承認された債務、もしくは複数の売主もしくは他の複数の当事者に対して買主によって支払われる義務がある額に対してである。
【００１６】
ＡＢＰと買主との間の契約に従って、買主は、売主に対して買主によって支払われる義務がある額に対して、特定化された売主に対する早い（加速された）複数の支払いを行うことをＡＢＰに指示する。ＡＢＰもしくは外部の資金提供者は、買主の指示に対応して買主の代わりに売主に対して早い（加速された）複数の支払いを行う。当該複数の支払いに対する資金提供は、ＡＢＰまたは、例えば銀行、金融機関もしくは他の資金提供組織（「外部の資金提供者」）などの独立した資金提供エンティティのいずれかによって提供される。ＡＢＰもしくは外部の資金提供者は、それぞれの資金を使用して支払いを行うであろうし、ほとんどのケースにおいて、買主による支払いの遅れもしくは支払いの債務不履行、または支払いの不足のリスクに対して保証するであろう。
【００１７】
この支払いの処理システム及び方法は、ＡＢＰ及び外部の資金提供者が金融損失のリスクに対する責任を負わず、一般的に買主によるフロード（詐欺）、または売主に対して支払われる義務のある額の、買主による遅い複数の返済もしくは非返済に対する負債に対して保証される、ということを意味する。
【００１８】
この実施形態において、ＡＢＰもしくは外部の資金提供者のいずれもが、売主に対して早い（加速された）支払いを行うために、買主に対してファシリティ（「承認された買主ファシリティ」）を提供するときに、いままで売主と直接的にもしくは間接的に関連を持っておらず、また売主との契約上の合意も有さない。
【００１９】
この実施形態において、買主からの複数の指示のもとで動作するＡＢＰは、買主に対する商品もしくはサービスを供給する１人もしくはそれ以上の売主にアプローチしてこの早い（加速された）支払いシステム（「承認された買主のファシリティ」）を１人もしくは複数人の売主に提供してもよく、ここで、１人もしくは複数人の売主は、買主に配達されて買主によって受理された承認された複数のアイテム（商品もしくはサービス）の購入に対するすべての請求書の早い（加速された）支払いを得ることができる。
【００２０】
もし売主がＡＢＰによって提供されたこの承認された買主ファシリティに合意するならば、その場合は売主が承認された売主であるとしてリストアップされ、買主が売主に取引カードを発行することの指示をしてもよく、それはＡＢＰによって提供されて管理され、そして（例えば、電子チップなどによって）その中に暗号化された売主の情報及び買主の情報を有する。その暗号化された取引カードは、例えば、複数の買主がこの早い（加速された）支払いシステムに対して売主によって承認されたことの売主の詳細、売主と特定の買主との間の前の複数の取引のサマリー（要約）、及び売主と買主との間の複数の取引に関連した現在の外部の資金提供者の手数料などの任意の関連した情報を組み込むことができる。
【００２１】
売主が買主に商品もしくはサービスの配達を行う前の、配達を行った時点の、もしくは配達を行った後の、売主の請求書詳細を含む、その取引の詳細は、取引カードに入力されるであろう。これが、例えば、売主のビジネスの場所において位置する端末装置（ターミナル）に取引カードを通すことによって、もしくはＡＢＰによって承認された任意の方法によって実行される。
【００２２】
好ましくは、買主は、例えば承認カードもしくはサマリーカードと呼ばれる類似の取引カードがＡＢＰによって供給されるであろう。ここで、任意の関連した取引の詳細が、例えば買主のビジネスの場所において位置する端末装置に取引カードを通すことによって、買主によって入力されもしくは承認される。次に、買主は、もし彼らがそう望むならば、取引カードにおいて暗号化された情報から売主と買主との間の複数の取引の（例えば、日ごとのもしくは週ごとの）定期的なサマリーを得ることができる。次に、買主は、ＡＢＰによって容易化された早い（加速された）支払いシステムを介して支払いに対するこれらの取引のいずれかを受け入れるかもしくは断るかのいずれかが可能となる。もし取引が買主によって受け入れられたならば、これが売主に対するＡＢＰから早い（加速された）支払いをトリガーするであろう（支払いのきっかけとなるであろう）。通常、売主は、買主にこのサービスに対する手数料を支払うであろうので、その早い（加速された）売主に対する支払いは、買主によってＡＢＰに対して支払われる手数料（もしくはその一部）の合意された手数料をマイナスした、買主に対する売主の請求書の全額に対するものであろう。
【００２３】
次に、売主に対して早い（加速された）支払いを完了したＡＢＰは、ＡＢＰがこの取引に関して買主に対して提供したサービスに対する買主からの支払いとしてＡＢＰが必要とする額だけを、合意された延期された日付に買主の指定した銀行口座から引き落とされるであろう。例えば、それぞれの新しい取引に対して買主によってＡＢＰに対して支払わられるべき料金が存在してもよく、それは買主とＡＢＰとの間の契約において「新しい支払い義務額」と定義されてもよい。
【００２４】
次に、ＡＢＰと買主との間の契約の条項に従って、買主は、契約によって提供された延長された支払い期間にわたって、ＡＢＰに合意された額を支払い、その額は一般的にＡＢＰに対して支払い可能な任意の手数料もしくは料金を加算した、売主の複数の請求書の全額であろう。支払いは、買主の指定した銀行口座からの直接的な引き落としによるものであってもよく、その場合は、ＡＢＰは、買主に対してＡＢＰによって提供されたサービスに対して、買主によって支払われる義務のある複数の額を計上する負債（デビット）を、上記ＡＢＰに対して指示されることだけが許可され、その負債額は「新しい支払い義務額」と呼ばれる。
【００２５】
承認された売主は、例えば、買主に対する通知の手段によって、売主に対する買主の早い（加速された）支払いのタイミングを変更させるために時々要求してもよい。もし支払いが通常１週間以内に行われるであろうならば、支払いの緊急性に相応の買主に対して売主によって支払われるべき手数料と一緒に、（例えば翌日支払いなどのより緊急な支払い、もしくは（例えば１ヶ月もしくは２ヶ月以内などの）より後の支払いを売主が代わりに要求することができる。買主に対して売主によって支払われるべき手数料は、（買主からの指示のもとで、）ＡＢＰによって売主に対して対応する早い（加速された）支払いが行われる前に、（買主に対する商品もしくはサービスの供給に対する）売主の請求書の額面価格から推定されるであろう。
【００２６】
一旦売主は、承認された買主ファシリティシステムのもとで早い（加速された）支払いを受け取るとすぐに売主は、承認された買主を介してもしくはＡＢＰに対して直接的のいずれかによって、ＡＢＰが売主が定期的に商品もしくはサービスを供給する他の買主である複数の会社を承認することを要求することができる。もしＡＢＰがそれらの他の買主である複数の会社を承認すれば、それらの複数の買主はＡＢＰとの同様の関係を確立するであろうし、それ故に売主がそれらの複数の買主に商品もしくはサービスを供給してＡＢＰによって容易化された同一の早い（加速された）支払いシステムによって支払いを受け取ることを可能とする。もし承認された売主が１人以上の承認された買主に供給を実行し、取引カードによって支払いを得るならば、その場合は、その取引カードに関連する売主の手数料が種々の買主と複数のＡＢＰパートナーシップ（提携）との間で共有される。
【００２７】
好ましくは、ＡＢＰ及び／または外部の資金提供者は、ＡＢＰの早い（加速された）支払いシステムに関する関連した情報を提供するウェブサイトもしくは電子プロセス／ポータルを有するであろう。そして、売主が商品もしくはサービスを供給する他の複数の会社が複数の承認された買主であるかどうかを確認するために、任意の承認された売主はいつでも、そのウェブサイトをサーチすることができるであろうし、もしそれらが承認された買主である場合は、それらの会社に対して売主として登録し、もし承認されていない場合は、複数の会社が複数の買主として承認されることを要求する。（承認されたもしくは承認されていないいずれかの）売主は、ＡＢＰが買主を承認し、その買主に対してクレジット制限（「ファシリティ制限」）を提供することを要求することができる。また、供給に対するテンダー（弁済金の提供）もしくは見積額（クォート）を買主に対して完了するとき、売主は買主に関するＡＢＰからの情報を得て買主がＡＢＰを用いて承認された買主かどうかを見て、もしそうでなければ、ＡＢＰはその買主を提供された詳細から承認された買主として契約することを要求する。
【００２８】
買主は、ファシリティ制限を増加させるための要求の手段によって、ＡＢＰもしくは外部の資金提供者を用いて、早いもしくは加速された複数の支払い（「ファシリティ制限」）によってカバーされる額における増加を得ることができる。
【００２９】
ＡＢＰ（「ファシリティ」）によって提供されたサービスは通常、任意のアプリケーション手数料もしくは費用を支払うために買主もしくは売主を必要とせず、ＡＢＰもしくは外部の資金提供者が図１に図示された実施形態における買主によって支払われることを必要とする唯一の手数料がＡＢＰに対して買主によって支払われる義務のある「新しい支払い義務額」である。
【００３０】
外部の資金提供者及びＡＢＰの両方は、例えば債務者保護アンダーライターと格付けされたＳ＆Ｐ（スタンダードアンドプアーズ）などの保険業者に対するＡＢＰもしくは買主それぞれの支払いの債務不履行のリスクをアウトソースすることによって、クレジット支払いの債務不履行のリスクをヘッジすることができる（未然に回避することができる）。
【００３１】
外部の資金提供者及び外部の保険業者は、図１に図示されたように、分離した複数のエンティティもしくは同一の会社のいずれかとすることができる。また、１つ以上の外部の資金提供者及び１つ以上の外部の保険業者が存在することができる。
【００３２】
図２は、本発明の支払い処理システム及び方法の第２の実施形態を例示する図であって、ここで、資金提供が、集中型支払いコントローラ（「加速された請求書支払いコントローラ」もしくは「ＡＢＰ」）の指示のもとで、例えば金融機関もしくは他の資金提供組織（「外部の資金提供者」）などの資金提供エンティティによって買主に対して直接的に提供され、買主は外部の資金提供者が買主に提供するサービスに対する外部の資金提供者に対して直接的に複数の支払いを行う。
【００３３】
第２の実施形態において、図２に例示されたように、同様の支払い処理システム及び方法が提供されるが、外部の資金提供者を用いてサービスを（ＡＢＰを介するよりむしろ）直接的に買主に対して提供し、ここで、買主からの指示のもとで、外部の資金提供者は、承認された売主に対する複数の支払いを加速し、買主は外部の資金提供者に対して（ＡＢＰを介するよりむしろ）直接的に提供されるサービスに対する支払いを行う。支払い処理システム及び方法の全体の管理はまだ、図２に図示された実施形態において、早い（加速された）支払いファシリティを買主に対して提供することに対するＡＢＰの手数料もしくは料金を支払う買主との契約上の関係を有するＡＢＰによって提供される。
【００３４】
図２に図示された実施形態の場合において、ＡＢＰ及び外部の資金提供者は、買主、ＡＢＰ、及び外部の資金提供者間のファシリティ合意の条項に従って、買主に対して提供されたサービスに対する手数料を請求するであろう。この実施形態において、外部の資金提供者は、売主との契約上の取り決めを持たない。
【００３５】
特に、本発明の早い（加速された）支払いシステムは、もし買主が他の複数の国における複数の売主と取り引きしているならば、支払いが即時であって、その結果、取引の時間と支払いの時間との間の交換比率（為替レート）における変化による金融損失のリスクを冒すであろう。
【００３６】
本発明の別の開発の早い（加速された）支払いシステムは、承認された買主はＡＢＰファシリティを用いてもう１つの承認された買主に対する売主となることができ、もしくは承認された買主に対する承認された売主が承認された買主になることができることであって、その方法では（以前にそれ自身が承認された売主であった）その買主に対する複数の売主が加速された複数の支払いを得ることが可能となる。
【００３７】
本発明のより良い理解を容易化するために、本発明が好ましい複数の実施形態に関してここで説明されもしくは描写された特定の複数の要素及び／もしくは複数の特徴に関して説明された。しかしながら、本発明の複数の原理から離れることなしに種々の変形がなされることが認識されるべきである。従って、本発明はその範囲内ですべてのそのような変形を含むように理解されるべきである。
【００３８】
例えば、ＡＢＰの同意及び正式の承認を有する買主は、売主による商品もしくはサービスの供給以外の複数の事柄に対する買主の複数の会計の複数の支払いを加速することをＡＢＰに指示してもよい。特に、早い（加速された）支払いシステムは、（ＡＢＰの承認及び同意に従って、）スタッフの複数の給料の支払い、政府税金の複数の支払い、複数の株主に対する配当金の複数の支払い、複数の家主に対する複数の支払い、複数の委託手数料の支払い、または複数の車、複数の建物（ビルディング）もしくは財産の購入などのような複数の事柄に対して買主によって利用されてもよい。これらの例では、買主は、サービスもしくは商品の配達に関連しない複数の額の支払いのために、ＡＢＰからの承認を求めるであろう。これらの例では、早い（加速された）支払いを提供することに対して、ＡＢＰ及び／または外部の資金提供者に対して支払い可能な手数料もしくは料金は、買主によって満足されるであろう。
【図１】
2013516681.tif 000003
【図２】
2013516681.tif 000004
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
供給者によって提供された商品もしくはサービスに対する支払いを行うための方法であって、当該方法は、
集中型支払いコントローラを提供するステップと、
商品もしくはサービスの供給者とそれらの商品もしくはサービスの購入者との間で取引を行うステップと、
販売のポイントから上記集中型支払いコントローラに対して取引を示すデータを通信するステップとを含み、
上記集中型支払いコントローラは、上記集中型支払いコントローラに提供された上記データに従って、商品もしくはサービスの上記供給者が上記購入者に対して承認された供給者として上記購入者によって承認されたかどうかを決定し、そのときは上記取引を拒絶するか、もしくはもし上記供給者が承認されたならば、上記承認された供給者に対して、直接的にもしくは上記集中型支払いコントローラを介してのいずれかによって、資金提供エンティティによって資金の提供を手配し、それらの資金は、上記供給された商品もしくはサービスに対する上記承認された供給者の請求書に対応し、
上記集中型支払いコントローラは、合意された期間にわたって、直接的にもしくは上記集中型支払いコントローラを介してのいずれかによって、上記購入者が上記資金提供エンティティに対して１つもしくは複数の支払いを行うことを手配し、上記資金提供エンティティもしくは上記集中型支払いコントローラに対する上記１つもしくは複数の支払いは、上記購入者と上記集中型支払いコントローラとの間の取り決めに従って、上記資金提供エンティティもしくは上記集中型支払いコントローラに対して支払い可能な任意の関連した手数料もしくは料金を加算した、上記供給された商品もしくはサービスに対する上記承認された供給者の請求書に対応することを特徴とする方法。
【請求項２】
債権者に対して債務者によって支払われる義務のある債務に対する支払いを行うための方法であって、当該方法は、
集中型支払いコントローラを提供するステップと、
上記債権者と上記債務者との間の取引を行って、上記債権者に対する上記債務者による支払いに対する義務を結果として生じさせるステップと、
上記取引を集中型支払いコントローラに対して示すデータを通信するステップとを含み、
上記集中型支払いコントローラは、上記集中型支払いコントローラに対して提供されたデータに従って、上記債権者が上記債務者に対する承認された債権者として上記債務者によって承認されたかどうかを決定し、そのときは上記取引を拒絶するか、もしくはもし上記債権者が承認されたならば、上記承認された債権者に対して、直接的にもしくは上記集中型支払いコントローラを介してのいずれかによって、資金提供エンティティによって資金の提供を手配し、それらの資金は、上記取引に対する上記承認された債権者の請求書に対応し、
上記集中型支払いコントローラは、合意された期間にわたって、直接的にもしくは上記集中型支払いコントローラを介してのいずれかによって、上記債権者が上記資金提供エンティティに対して１つもしくは複数の支払いを行うことを手配し、上記資金提供エンティティもしくは上記集中型支払いコントローラに対する上記１つもしくは複数の支払いは、任意の関連した手数料もしくは料金を加算した、関連した取引に対する上記承認された債権者の請求書に対応することを特徴とする方法。
【請求項３】
上記資金は、上記集中型支払いコントローラを介して、上記資金提供エンティティによって、商品もしくはサービスの上記承認された供給者に提供されることを特徴とする請求項１記載の方法。
【請求項４】
上記資金は、上記集中型支払いコントローラを介して、上記資金提供エンティティによって、上記承認された債権者に提供されることを特徴とする請求項２記載の方法。
【請求項５】
上記購入者もしくは上記債務者は、上記集中型支払いコントローラを介して、上記資金提供エンティティに対して複数の支払いを行うことを特徴とする請求項１から４のうちのいずれか１つに記載の方法。
【請求項６】
上記資金は、上記資金提供エンティティによって、直接的に、商品もしくはサービスの上記承認された供給者に対して提供されることを特徴とする請求項１記載の方法。
【請求項７】
上記資金は、上記資金提供エンティティによって、直接的に、上記承認された債権者に対して提供されることを特徴とする請求項２記載の方法。
【請求項８】
上記購入者もしくは上記債務者は、上記資金提供エンティティに対して、直接的に、複数の支払いを行うことを特徴とする請求項１、２、６または７記載の方法。
【請求項９】
上記集中型支払いコントローラはまた、上記資金提供エンティティであることを特徴とする請求項１から８のうちのいずれか１つに記載の方法。
【請求項１０】
商品もしくはサービスの購入者によって承認された供給者によって提供されたそれらの商品もしくはサービスに対する支払いを行うためのシステムであって、当該システムは、
商品もしくはサービスの上記承認された供給者とそれらの商品もしくはサービスの上記購入者との間の複数の取引を管理して処理するための集中型支払いコントローラを備え、
上記購入者は、上記集中型支払いコントローラによって承認されており、
上記集中型支払いコントローラは、販売のポイントから上記集中型支払いコントローラに対して通信された、上記複数の取引を示すデータを受信し、
上記集中型支払いコントローラは、上記受信されたデータを処理し、上記販売のポイントと関連する上記供給者が上記購入者に対して承認された供給者であるかどうかを決定し、
上記集中型支払いコントローラは、もし上記供給者が承認された供給者でなければ上記取引を拒絶するか、もしくはもし上記供給者が承認されたならば、上記集中型支払いコントローラは、上記集中型支払いコントローラに提供された上記データに従って、商品もしくはサービスの上記承認された供給者に対して直接的にもしくは上記集中型支払いコントローラを介してのいずれかによって、資金を提供する資金提供エンティティに指示し、
それらの資金は、上記供給された商品もしくはサービスに対する上記承認された供給者の請求書に対応し、
上記承認された購入者は、上記集中型支払いコントローラの指示のもとで、合意された期間にわたって、直接的にもしくは上記集中型支払いコントローラを介してのいずれかによって、上記資金提供エンティティに対して１つもしくは複数の支払いを行って、上記承認された購入者から上記資金提供エンティティもしくは上記集中型支払いコントローラに対する上記１つもしくは複数の支払いは、任意の関連した手数料もしくは料金を加算した、供給された商品もしくはサービスに対する上記承認された供給者の請求書に対応することを特徴とするシステム。
【請求項１１】
債務者によって承認された債権者に対して上記債務者によって支払われる義務のある債務に対する支払いを行うためのシステムであって、当該システムは、
上記承認された債権者と上記債務者との間の複数の取引を管理して処理して、上記承認された債権者に対する上記債務者による支払いに対する義務を結果として生じさせる集中型支払いコントローラを備え、
上記債務者は、上記集中型支払いコントローラによって承認されており、
上記集中型支払いコントローラは、上記複数の取引を示すデータを受信し、
上記集中型支払いコントローラは、上記受信されたデータを処理し、販売のポイントと関連する上記供給者が上記購入者に対して承認された供給者であるかどうかを決定し、
上記集中型支払いコントローラは、もし上記供給者が承認された供給者でなければ上記取引を拒絶するか、もしくはもし上記供給者が承認されたならば、上記集中型支払いコントローラは、上記集中型支払いコントローラに提供された上記データに従って、商品もしくはサービスの上記承認された債権者に対して直接的にもしくは上記集中型支払いコントローラを介してのいずれかによって、資金を提供する資金提供エンティティに指示し、
それらの資金は、上記関連した取引に対する上記承認された債権者の請求書に対応し、
上記債務者は、上記集中型支払いコントローラの指示のもとで、合意された期間にわたって、直接的にもしくは上記集中型支払いコントローラを介してのいずれかによって、上記資金提供エンティティに対して１つもしくは複数の支払いを行って、上記１つもしくは複数の支払いは、任意の関連した手数料もしくは料金を加算した、上記関連した取引に対する上記承認された債務者に対する上記債権者の請求書に対応することを特徴とするシステム。
【請求項１２】
上記資金は、上記集中型支払いコントローラを介して、上記資金提供エンティティによって、商品もしくはサービスの上記承認された供給者に提供されることを特徴とする請求項１０記載のシステム。
【請求項１３】
上記資金は、上記集中型支払いコントローラを介して、上記資金提供エンティティによって、上記承認された債権者に提供されることを特徴とする請求項１１記載のシステム。
【請求項１４】
上記購入者もしくは上記債務者は、上記集中型支払いコントローラを介して、上記資金提供エンティティに対して複数の支払いを行うことを特徴とする請求項１０から１３のうちのいずれか１つに記載のシステム。
【請求項１５】
上記資金は、上記資金提供エンティティによって、直接的に、商品もしくはサービスの上記承認された供給者に対して提供されることを特徴とする請求項１０記載のシステム。
【請求項１６】
上記資金は、上記資金提供エンティティによって、直接的に、上記承認された債権者に対して提供されることを特徴とする請求項１１記載のシステム。
【請求項１７】
上記購入者もしくは上記債務者は、直接的に、上記資金提供エンティティに対して複数の支払いを行うことを特徴とする請求項１０、１１、１５または１６記載のシステム。
【請求項１８】
上記集中型支払いコントローラはまた、上記資金提供エンティティであることを特徴とする請求項１０から１７のうちのいずれか１つに記載のシステム。
【請求項１９】
実質的に、本願において及び図１及び図２のいずれかを参照して説明されたことを特徴とする請求項１または２記載の方法。
【請求項２０】
実質的に、本願において及び図１及び図２のいずれかを参照して説明されたことを特徴とする請求項１０から１８のうちのいずれか１つに記載の方法。
【国際調査報告】
2013516681.tif 000005
2013516681.tif 000006
2013516681.tif 000007